(57)【要約】      （修正有）【課題】撮像画像にユーザが希望する情報を付加して記録することができる撮影機器及び画像記録方法を提供する。【解決手段】撮影機器１０は、被写体の撮像画像をメイン画像として記録可能な記録再生制御部１２と、上記メイン画像中の関連位置及び関連対象物の少なくとも一方を設定する位置及び対象判定部１３と、上記位置及び対象判定部によって設定された上記関連位置及び関連対象物に関連するサブ情報を取得し、上記記録再生制御部を制御して、上記メイン画像と上記サブ情報とを関連付けて記録する関連付け制御部１４とを具備する。【選択図】図１
2015159511.tif 000002
【特許請求の範囲】
【請求項１】
被写体の撮像画像をメイン画像として記録可能な記録制御部と、
上記メイン画像中の関連位置及び関連対象物の少なくとも一方を設定する位置及び対象判定部と、
上記位置及び対象判定部によって設定された上記関連位置及び関連対象物に関連するサブ情報を取得し、上記記録制御部を制御して、上記メイン画像と上記サブ情報とを関連付けて記録する関連付け制御部と
を具備したことを特徴とする撮影機器。
【請求項２】
上記関連付け制御部は、撮像部を制御して、上記関連位置及び関連対象物に関連する画像を、上記メイン画像の撮影制御とは異なる方法で画像処理して上記サブ情報として取得する
ことを特徴とする請求項１に記載の撮影機器。
【請求項３】
上記メイン画像を表示するための表示制御部を具備し、
上記位置及び対象判定部は、表示された上記メイン画像上で位置が指定されて、上記関連位置及び関連対象物の少なくとも一方を設定する
ことを特徴とする請求項１又は２に記載の撮影機器。
【請求項４】
上記表示制御部は、上記メイン画像撮影時に、サブ画像撮影のアドバイス表示を行う
ことを特徴とする請求項３に記載の撮影機器。
【請求項５】
上記関連付け制御部は、上記サブ情報を上記関連位置又は上記関連対象物毎に対応させて記録する
ことを特徴とする請求項１乃至４のいずれか１つに記載の撮影機器。
【請求項６】
上記関連付け制御部は、既に撮像された上記メイン画像に対して上記サブ情報を取得する
ことを特徴とする請求項１乃至５のいずれか１つに記載の撮影機器。
【請求項７】
上記関連付け制御部は、既に取得された上記サブ情報を撮像した上記メイン画像に割当てる
ことを特徴とする請求項１乃至５のいずれか１つに記載の撮影機器。
【請求項８】
被写体の撮像画像をメイン画像として取得するステップと、
上記メイン画像中の関連位置及び関連対象物の少なくとも一方を設定する位置及び対象判定ステップと、
上記位置及び対象判定ステップによって設定された上記関連位置及び関連対象物に関連するサブ情報を取得し、上記メイン画像と上記サブ情報とを関連付けて記録する関連付けステップと
を具備したことを特徴とする画像記録方法。
【発明の詳細な説明】
【技術分野】
【０００１】
本発明は、画像ファイルに補助データを記録する撮影機器及び画像記録方法に関する。
【背景技術】
【０００２】
近年、デジタルカメラなどの撮影機能付き携帯機器（撮影機器）は、画像処理を駆使して、様々な撮影機能を備えている。また、撮影機器においては、通信機能を備えたものもあり、撮影して得た画像を他の機器やネットワーク上に伝送することも可能である。
【０００３】
ところで、従来、撮影機器においては、画像の記録に際して、撮影日時や撮影場所の情報等、画像以外の補助データを画像と共にファイル化して記録するようになっている。即ち、画像ファイルは、画像データと補助データとによって構成され、記録後に画像ファイルの編集も可能である。
【０００４】
更に、特許文献１に開示されているように、記録された原画像中に含まれるオブジェクトを判別して、優先度を付して判別したオブジェクトを抽出する装置も開発されている。例えば、オブジェクトとして文字領域を設定することで、画像中に含まれる文字を抽出し、画像データの補助データとして記録することも可能である。
【先行技術文献】
【特許文献】
【０００５】
【特許文献１】特許４５１９５３１号
【発明の概要】
【発明が解決しようとする課題】
【０００６】
しかしながら、従来の技術は、画像から抽出した情報や画像の撮影に関する情報を補助データとして記録するだけのものであり、必ずしも、ユーザが希望する情報をユーザが希望する形態で提示可能にはなっていないという問題があった。
【０００７】
本発明は、簡単な操作で、撮像画像にユーザが希望する情報を付加して記録することができる撮影機器及び画像記録方法を提供することを目的とする。
【課題を解決するための手段】
【０００８】
本発明に係る撮影機器は、被写体の撮像画像をメイン画像として記録可能な記録制御部と、上記メイン画像中の関連位置及び関連対象物の少なくとも一方を設定する位置及び対象判定部と、上記位置及び対象判定部によって設定された上記関連位置及び関連対象物に関連するサブ情報を取得し、上記記録制御部を制御して、上記メイン画像と上記サブ情報とを関連付けて記録する関連付け制御部とを具備する。
【０００９】
また、本発明に係る画像記録方法は、被写体の撮像画像をメイン画像として取得するステップと、上記メイン画像中の関連位置及び関連対象物の少なくとも一方を設定する位置及び対象判定ステップと、上記位置及び対象判定ステップにおいて設定された上記関連位置及び関連対象物に関連するサブ情報を取得し、上記メイン画像と上記サブ情報とを関連付けて記録する関連付けステップとを具備する。
【発明の効果】
【００１０】
本発明によれば、撮像画像にユーザが希望する情報を簡単な操作で付加して記録することができるという効果を有する。
【図面の簡単な説明】
【００１１】
【図１】本発明の第１の実施の形態に係る撮影機器の回路構成を示すブロック図。
【図２】メイン画像及びサブ画像の撮影及び記録を説明するための説明図。
【図３】関連付けモードにおけるサブ画像の撮影の様子を示す説明図。
【図４】関連付けモード時に記録される画像ファイルを説明するための説明図。
【図５】サブ情報の一例を示す説明図。
【図６】第１の実施の形態の動作を説明するためのフローチャート。
【図７】再生モードにおける動作を説明するためのフローチャート。
【図８】本発明の第２の実施の形態を示すブロック図。
【図９】第２の実施の形態に係る撮影機器の外観を示す説明図。
【図１０】インターネットからサブ情報をダウンロードする例を説明するための説明図。
【図１１】インターネットからサブ情報をダウンロードする例を説明するための説明図。
【図１２】関連付けモード時に記録される画像ファイルを説明するための説明図。
【図１３】サブ情報の一例を示す説明図。
【図１４】再生時の様子を説明するための説明図。
【図１５】第２の実施の形態の動作を説明するためのフローチャート。
【発明を実施するための形態】
【００１２】
以下、図面を参照して本発明の実施の形態について詳細に説明する。
【００１３】
（第１の実施の形態）
図１は本発明の第１の実施の形態に係る撮影機器の回路構成を示すブロック図である。本実施の形態は、ユーザが撮影して得たメイン画像中の任意の位置又は対象物に関連するサブ画像（サブ情報）を得て、メイン画像とサブ画像（サブ情報）とを関連付けて記録するものである。例えば、サブ画像はユーザの撮影操作によって得られる。
【００１４】
図２乃至図５はメイン画像及びサブ画像の撮影及び記録を説明するための説明図である。
【００１５】
図２はユーザが撮影によってメイン画像を取得する様子を示している。図２に示すように、ユーザ２１は、右手２１ａで図１に示す撮影機器１０の回路ブロックが収納された筐体２２を把持した状態で、被写体である人物３１を撮影している。人物３１は山脈３２を背景として、人物３１がいる△高原の名称３３ａを刻んだ石碑３３の傍らに立っている。撮影機器１０の筐体２２の背面側には、表示画面２３が設けられており、この表示画面２３には撮像中の画像であるスルー画２４が表示されている。図２は、撮影範囲内に人物３１、山脈３２及び石碑３３を含む撮像画像がスルー画２４として表示されていることを示している。
【００１６】
この状態でユーザ２１が右手２１ａでシャッタボタン２２ａを押すことで、スルー画２４として表示されている撮像画像が記録される。いま、例えば、ユーザ２１がこの記録した撮像画像をメイン画像とするものとする。
【００１７】
本実施形態においては、メイン画像とサブ画像（サブ情報）とを関連付けて記録する関連付けモードでの動作が可能である。関連付けモードにおいては、ユーザ２１は、画像中のいずれの位置（以下、関連位置という）又は対象物（以下、関連対象物という）に関連付けてサブ画像を撮影するかを指定することができる。図２は、関連付けモード時に、ユーザ２１が、スルー画２４中の石碑３３に対応する画像２５を左手の指２１ｂでタッチする操作を行ったことを示している。このタッチ操作によって、メイン画像中の石碑３３に対応する画像２５の位置が関連位置として設定される。このように、画像の位置に意味を持たせ、撮影画像を元にして、その画像上の位置から別の情報を読み出すことが可能となる。これによって、画像鑑賞が表面的なものにとどまらず、さらなる情報読み出しの鍵となって、鑑賞者の追体験をさらに豊かなものにすることが出来る。例えば、読み取れない看板やポスターに書いてあることが気になる場合は、それをタッチすれば、さらなる情報を再生することが出来るようになって、好奇心を満たすようなことが可能となる。この好奇心を満たす情報の付加は以下のようにして行う。
【００１８】
図３は関連付けモードにおけるサブ画像の撮影の様子を示している。ユーザ２１は、右手２１ａで撮影機器１０の筐体２２を把持した状態で、タッチ操作によって関連付けの対象に指定した石碑３３に対応するサブ画像の撮影を行う。指定してから撮影しても、指定しながら撮影しても良い。指定してから撮影するときは、図３に示すように、例えば、ユーザ２１は、ズーム操作を行ったり、撮影位置を変更したりして、石碑３３が表示画面２３の表示範囲一杯に撮影されるように、画角の調整を行う。図３はこの状態を示しており、石碑３３に対応する画像４３は表示範囲一杯に表示されている。また、表示画面２３の上部には、関連付けモードにおけるサブ画像の撮影中であることを示す「関連撮影中」の表示４４が表示されている。この表示が重要で、この表示がないと、ユーザは、写真作品としてメイン画像を撮影しているのか、情報画像として撮影しているのか分からなくなるからである。また、作品撮影時には、自然さや色合いや階調表現などが重要であるが、情報撮影時に文字などを撮影する場合には、文字が読めることが重要で、白黒でもよく、コントラストも不自然なまでに高めて読みやすくしても良い。露出制御や絞り制御なども含めて撮影制御であるが、これをメイン撮影時と異ならせて、文字を読みやすくしたり、ボケを抑える撮影にしても良い。また、白黒化やエッジ強調などは画像処理であり、撮影制御と画像処理のどちらか、または両方を行って補助情報としての表現はメイン画像と変えておくようにした方が良い。記録時のみならず、スルー画時にも、こうした制御をメイン画像と変えてもよい。この状態で、ユーザ２１がシャッタボタン２２ａを押すことにより、スルー画２４として表示されている撮像画像がサブ画像として記録される。この撮影に先立って、鑑賞者が好奇心を持つであろう部分をメイン撮影時にガイド表示しても良い。例えば、顔や文字や、背景の風景に特徴的な山などは、画像判定で、再撮影候補として判定して、この部分に関する情報を取得するようにアドバイス表示しても良い。例えば、撮影確認画像で、この部分を指で指定するとその部分がスルー画状態になって、その部分には、さらに情報が必要な旨を表示しつつ、そのスルー画を見ながら撮影を行うようにしても良い。指定しながら撮影しても良い、と書いたのはこのような撮影方法である。
【００１９】
図４は関連付けモード時に記録される画像ファイルを説明するための説明図である。図４（ａ）はメイン画像のみが記録されている状態を説明するものであり、図４（ｂ）はメイン画像及びサブ画像が記録されている状態を説明するものである。
【００２０】
図４（ａ），（ｂ）に示すように、画像ファイルは、メイン画像の画像データ４５及び補助データであるタグ情報４６を含む。タグ情報４６には、メイン画像に関する情報及びメイン画像の撮影に関する情報等、例えば、被写体顔情報、撮影場所、撮影時間の情報等が含まれる。更に、本実施の形態においては、タグ情報には、関連付けモードによる撮影であって、このメイン画像に関連するサブ画像が関連付けられて記録されているか又は記録が予定されていることを示す情報であるサブ画像想定情報も含まれる。更に、本実施の形態においては、画像ファイルには、関連付けモードにおいて記録されたサブ情報４７も含まれる。
【００２１】
図５はサブ情報の一例を示す説明図である。図５は図２及び図３の撮影に対応したものである。本実施の形態においては、サブ情報はユーザが指定した関連位置や関連対象物毎に登録される。図５の例では、画面を中央、右上、右下、左上、左下の５つの領域に分け、各領域毎にサブ情報を登録した例を示している。画面中央の領域に対応して人名が登録されている。このサブ情報は、撮像範囲の略中央に写された人物（図２及び図３の人物３１）の名前に関する情報を示している。また、図５では、画面の左下に対応させて、図３に示す撮影によって取得したサブ画像が記録されていることを示している。また、図５では、このサブ画像中の文字列に対する文字認識によって取得した「△高原」の文字情報も記録されていることを示している。このような文字認識をするために、サブ画像撮影は、メイン画像撮影とは異なる（画像処理も含めて）制御を行う。
【００２２】
図１において、撮影機器１０は、ＣＣＤやＣＭＯＳセンサ等の撮像素子によって構成された撮像部１１を有している。撮像部１１は、被写体を撮影し、撮影画像を出力する。撮像画像は、関連付け部２０に与えられる。関連付け部２０の関連付け制御部１４は、図示しないＣＰＵ及びメモリ等によって構成されており、メモリに記憶されたプログラムに従ってカメラ制御を行う。関連付け制御部１４は、撮像部１１を制御すると共に（図示省略）、撮像部１１が出力した撮影画像に対して、所定の信号処理、例えば、色調整処理、マトリックス変換処理、ノイズ除去処理、その他各種の信号処理を行う。
【００２３】
また、関連付け制御部１４は、表示に関する各種処理を実行することができる。関連付け制御部１４は、信号処理後の撮影画像を表示及び操作部１７に与えることができる。表示及び操作部１７は、ＬＣＤ等の表示画面を有しており、関連付け制御部１４から与えられた画像を表示する。また、関連付け制御部１４は、各種メニュー表示等を表示及び操作部１７の表示画面２３（図２参照）に表示させることもできるようになっている。
【００２４】
また、表示及び操作部１７は、ユーザ操作を受け付ける図示しない操作部を有している。この操作部として、表示及び操作部１７は、例えば表示画面２３上に構成されたタッチパネルを備えていてもよい。タッチパネルは、ユーザが指で指し示した表示画面上の位置に応じた操作信号を発生することができる。この操作信号は、関連付け制御部１４に供給される。これにより、関連付け制御部１４は、ユーザが表示画面上をタッチしたりスライドさせたりした場合には、ユーザのタッチ位置、指を閉じ離間させる操作（ピンチ操作）、スライド操作やスライド操作によって到達した位置、スライド方向、タッチしている期間等の各種操作を検出することができ、ユーザ操作に対応した処理を実行することができるようになっている。
【００２５】
記録再生制御部１２は、撮像画像の記録及び再生に関する処理を行うことができる。例えば、記録再生制御部１２は、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００２６】
記録再生制御部１２は、記録部１６に記録されている撮像画像を読み出して伸張処理することができる。記録再生制御部１２は伸張処理された撮像画像を表示及び操作部１７に与えることで、記録画像の再生が可能である。
【００２７】
なお、表示及び操作部１７の表示画面２３は、撮影機器１０の例えば背面の略全域を占めるように配設されており、撮影者は、撮影時に表示及び操作部１７の表示画面２３上に表示されたスルー画を確認することができ、スルー画を確認しながら撮影操作を行うこともできる。
【００２８】
本実施の形態においては、関連付け制御部１４は、関連付けモード時において、メイン画像及びサブ情報を取得して、記録部１６に記録することができるようになっている。位置及び対象判定部１３は、表示及び操作部１７の操作、例えばタッチパネルに対するタッチ操作によって、画像中の位置が指定されると、当該位置を関連位置として設定する。また、位置及び対象判定部１３は、表示及び操作部１７の操作、例えばタッチパネルに対するタッチ操作によって、画像中の対象物が指定されると、当該対象物を関連対象物として設定する。なお、位置及び対象判定部１３は、撮像部１１からの撮像画像だけでなく記録部１６から再生された再生画像についても、関連位置及び関連対象物を設定することができるようになっている。対象判定機能としては、画像のパターンによる顔検出、文字検出などがあり、風景などは遠距離なので、距離情報などを反映して、色により空とか形によって山とか、対象物を判定するようにしても良い。このように判定できるものは、ユーザも興味を持つものであると考えて、判定された部分について、再撮影を促すアドバイスを行ってもよい。
【００２９】
関連情報格納部１５には、サブ情報が記録される。関連情報格納部１５に記録されているサブ情報は、既に関連位置や関連対象物が指定された情報と、まだ関連位置や関連対象物が指定されていな情報とを含む。
【００３０】
関連付け制御部１４は、関連付けモード時には、撮像部１１からの撮像画像をメイン画像として処理するか又はサブ画像として処理する。このサブ画像が関連情報格納部１５に記録されてサブ情報として用いられることもある。また、関連付け制御部１４は、撮像部１１からの撮像画像から得られる各種情報、例えば文字情報をサブ情報として取得することもできる。関連付け制御部１４は、取得したサブ情報を関連情報格納部１５に記録させることもある。
【００３１】
関連付け制御部１４は、メイン画像の各関連位置や関連対象物毎にサブ情報を割当てて、記録再生制御部１２により記録部１６に記録させることができるようになっている。
【００３２】
次に、このように構成された実施の形態の動作について図６及び図７を参照して説明する。図６は実施の形態の動作を説明するためのフローチャートである。図６はカメラ制御を示している。
【００３３】
図６のステップＳ１において、関連付け制御部１４は撮影モードであるか否かを判定する。いま、撮影モードが指示されているものとする。この場合には、関連付け制御部１４は、ステップＳ２において、撮像部１１を制御して撮像を開始させ、撮像部１１からの撮影画像を取り込む。関連付け制御部１４は、取り込んだ撮像画像中の被写体の判定を行う。
【００３４】
関連付け制御部１４は、次のステップＳ３において、関連付けモードであるか否かを判定する。関連付けモードでない場合には、関連付け制御部１４は、通常モードの撮影動作を行う。即ち、関連付け制御部１４は、ステップＳ４においてスルー画を表示させ、ステップＳ５において撮影が行われたか否かを判定する。ユーザがシャッタボタン２２ａを押すと、関連付け制御部１４は、ステップＳ６において撮影を行い、撮像部１１からの撮像画像に対して所定の信号処理を施した後、記録再生制御部１２によって、撮像画像を記録部１６に記録させる。
【００３５】
いま、ユーザ操作によって、関連付けモードが指定されているものとする。この場合には、関連付け制御部１４は、ステップＳ１１において、メイン画像の撮影が指定されているかサブ画像の撮影が指定されているかを判定する。本実施の形態においては、メイン画像を先に撮影してもよく、サブ画像を先に撮影してもよい。
【００３６】
即ち、本実施の形態においては、既にメイン画像が撮影記録されており、記録されているメイン画像に対して、関連位置や関連対象物毎にサブ画像を関連付けて記録するモード（以下、メイン−サブ関連付けモードという）と、既にサブ画像が撮影記録されており、記録されているサブ画像を、撮影したメイン画像の関連位置や関連対象物毎に関連付けて記録するモード（以下、サブ−メイン関連付けモードという）とが可能である。図６のステップＳ２３〜Ｓ３０は、メイン−サブ関連付けモードの動作を示し、ステップＳ１２〜Ｓ２０，Ｓ３１〜Ｓ３７は、サブ−メイン関連付けモードの動作を示している。
【００３７】
いま、ユーザはメイン−サブ関連付けモードを指定するものとする。即ち、既にメイン画像が撮影記録されており、記録されているメイン画像に対してサブ画像を関連付けるように、ユーザがサブ画像の撮影を指定するものとする。この場合には、関連付け制御部１４は、処理をステップＳ１１からステップＳ２１に移行して、既に記録されているメイン画像を記録部１６から読出して、表示及び操作部１７に与えて所定時間サムネイル表示させる。関連付け制御部１４は、次のステップＳ２２において、メイン画像が選択操作されたか否かを判定する。
【００３８】
関連付け制御部１４は、所定時間経過してもメイン画像が選択されない場合には、サブ−メイン関連付けモードにおけるサブ画像の撮影、即ち、ユーザがメイン画像に関連付けることなくサブ画像の撮影を行おうとしているものと判定して、処理をステップＳ２２からステップＳ３１に移行する。
【００３９】
いま、ユーザは、既に記録されているメイン画像に対してサブ画像を関連付けようとしているので、ユーザはメイン画像の選択操作を行う。関連付け制御部１４は、ステップＳ２３においてタッチ位置の指定操作を受け付ける。例えば、ユーザは図２の画像２５の表示位置をタッチする。これにより、位置及び対象判定部１３は、例えば画面左下を関連位置に設定する。次に、関連付け制御部１４は、撮像部１１において現在撮像中の撮像画像を表示及び操作部１７の表示画面にスルー画表示させる（ステップＳ２４）。ユーザは、メイン画像中の関連位置や関連対象物を視野範囲に収めるように、撮影位置やズーム操作を行って、撮影を行う。
【００４０】
関連付け制御部１４は、ステップＳ２５においてサブ画像の撮影操作が行われた否かを判定する。関連付け制御部１４は、撮影操作が行われると、撮像部１１を制御して撮影を行わせる（ステップＳ２６）。これは、作品撮影とも表すことができ、自然さや色合いや階調表現などが重要である。後述のサブ撮影で、情報撮影時に文字などを撮影する場合には、文字が読めることなどが重要であるが、ここでは、露出をあえて飛ばしたり、色をかえたりして、ユーザの好みを反映した撮影が重要である。もちろん、文字認識などを行うために、スルー画時や撮影直後に、どの部分が特徴的かを判定するステップを設けてもよい。記録時のみならず、Ｓ２４のスルー画時にも、こうした制御を後述のサブ画像と変えてもよい。次に、関連付け制御部１４は、ステップＳ２７において撮像画像の関連位置内の文字を認識可能であるか否かを判定する。認識可能な場合には、この文字をサブ情報として記録するために、関連付け制御部１４は、文字情報の読み取りを行い（ステップＳ２８）、読み取った文字をサブ情報化する（ステップＳ２９）。
【００４１】
次に、関連付け制御部１４は、選択したメイン画像の画像ファイルに、撮影したサブ画像及び読み取った文字からなるサブ情報を関連位置や関連対象物の情報と共に記録する（ステップＳ３０）。また、関連位置と関連対象物の一方だけでなく、関連位置とその位置の関連対象物を判定して、関連位置及び関連対象物の両方を記録するようにしてもよい。例えば、関連位置として画面中央を設定すると共に、その位置の対象物が実物の顔であることを記録するのである。こうして、記録部１６には、図４（ｂ）に示す画像ファイルが記録される。
【００４２】
サブ−メイン関連付けモードにおけるサブ画像の撮影処理は、ステップＳ３１〜Ｓ３７において行われる。ステップＳ３１〜Ｓ３６の処理は、関連位置や関連対象物を指定しない点を除き、ステップＳ２４〜Ｓ２９と同様である。関連付け制御部１４は、ステップＳ３７において、撮影されたサブ画像を関連情報格納部１５に記録する。
【００４３】
次に、サブ−メイン関連付けモードにおいて、メイン画像の撮影が行われるものとする。この場合には、関連付け制御部１４は、処理をステップＳ１１からステップＳ１２に移行する。ユーザは、メイン画像を撮影するために、画角の設定を行った後撮影を行う。例えば、既に、図３の石碑３３をサブ画像として撮影している場合には、例えば、図２のように、この石碑３３を含む画角でメイン画像を撮影する。
【００４４】
関連付け制御部１４は、ステップＳ１３においてメイン画像の撮影操作が行われた否かを判定する。関連付け制御部１４は、撮影操作が行われると、撮像部１１を制御して撮影を行わせる（ステップＳ１４）。この撮影は、メイン撮影（作品撮影）時に、重要であった自然さや色合いや階調表現などより、文字などを読みとりやすく、顔などは検出しやすくすることが重要で、白黒でもよく、コントラストも高めにしても良い。露出制御や絞り制御なども含めて撮影制御であるが、これをメイン撮影時と異ならせて、文字を読みやすくしたり、ボケを抑える撮影にしても良い。また、白黒化やエッジ強調などは画像処理であり、撮影制御と画像処理のどちらか、または両方を行って補助情報としての表現はメイン画像と変えておくようにした方が良い。もちろん、記録時のみならず、Ｓ１２のスルー画時にも、こうした制御をメイン画像と変えてもよい。次に、関連付け制御部１４は、ステップＳ１５において、撮影した画像の確認表示（レックビュー）を表示画面２３上に表示させ、関連位置や関連対象物の指定を受け付ける（ステップＳ１６）。このとき、前述のように、特定の特徴を持った画像の部分を強調表示しても良い。つまり、検出技術が進歩している顔認識や文字認識は、ユーザが気になるものの代表であり、こうした部分は判定したことを表示して、ユーザに再撮影候補として、枠で囲んだり、色を変えたり、矢印で指示したりしてアドバイス表示する。また、距離データが取得できる場合には背景を検出して空や山などを判定し、山がどこの山であるかなどを対話型で情報取得しても良い。この時、道標や、行き先表示板の他、手持ちの地図などを撮影してもよく、ガイドブックなどを撮影して、その地方だけを情報表示可能にしてもよい。ユーザは、ガイドブックを撮影することなど思い浮かばない場合があり、「手持ちの地図やガイドブックを撮影してください」などと、アドバイスを表示してもよい。このような表示情報は、記録部１６に記録しておいても良い。ユーザは、いま撮影したメイン画像に関連付けようとしているサブ画像が、メイン画像中のいずれの位置に写されているものかを指定するようにしてもよい。例えば、サブ画像が図３の石碑３３の画像４３である場合において、図２に示すメイン画像を撮像した場合には、ユーザは画面の左下の位置をタッチする。これにより、関連付け制御部１４は、関連位置や関連対象物の指定を行う。
【００４５】
関連付け制御部１４は、ステップＳ１７において、関連情報格納部１５に格納されているサブ情報の一覧を示すアイコンを表示及び操作部１７の表示画面２３上に表示させる。ユーザはこの表示を参照することで、サブ情報を指定する。
【００４６】
関連付け制御部１４は、ステップＳ１８において、サブ情報が指定されたか否かを判定する。指定された場合は、関連付け制御部１４は、ステップＳ１９において、メイン画像の画像ファイルに、サブ情報を付加して記録する。また、所定時間内にサブ情報が指定されない場合には、関連位置や関連対象物の指定が行われたメイン画像のみを記録する（ステップＳ２０）
図７は再生モードにおける動作を説明するためのフローチャートである。
【００４７】
関連付け制御部１４は、図７のステップＳ４１において、再生モードが指定されているか否かを判定する。関連付け制御部１４は、再生モードが指定されている場合には、ステップＳ４２において、既に記録されているメイン画像を記録部１６から読出して、表示及び操作部１７に与えて所定時間一覧表示させる。関連付け制御部１４は、次のステップＳ４３において、画像が選択操作されたか否かを判定する。関連付け制御部１４は、画像の選択が行われると、ステップＳ４４において、選択された画像を画面一杯に表示する（拡大表示）。
【００４８】
本実施の形態においては、関連付け制御部１４は、ステップＳ４５において、関連付け撮影に変更されたか否かを判定する。本実施の形態においては、再生モード時においても、サブ画像の撮影を行うことができるようになっている。ユーザによって関連付け撮影が指示されると、関連付け制御部１４は、処理をステップＳ４６に移行して、タッチ位置の指定があったか否かを判定する。ステップＳ４６の判定は、図６のステップＳ２３の判定と同様の判定であり、以後、処理は図６のステップＳ２４に移行する。
【００４９】
こうして、本実施の形態においては、メイン画像の再生モード時においても、関連位置や関連対象物を指定して、サブ画像を新たに撮影して保存することが可能である。
【００５０】
関連付け撮影へ変更が指示されていない場合には、関連付け制御部１４は、処理をステップＳ４５からステップＳ５１に移行して、ユーザが再生モードから他のモードに戻る処理をしたか否かを判定する。
【００５１】
次に、関連付け制御部１４は、再生モード時において関連付け撮影への変更が行われなければ、ステップＳ５２において、関連位置や関連対象物を指定するタッチ操作が行われたか否かを判定する。タッチ操作が行われると、当該タッチ操作によって指定された関連位置や関連対象物に関するサブ情報を関連情報格納部１５から読出して、表示及び操作部１７に与えて表示させる。
【００５２】
こうして、ユーザは、表示及び操作部１７の表示画面２３上において、メイン画像中の関連位置や関連対象物について、サブ情報を表示させることができる。また、図５の例のように、所定の関連位置や関連対象物に関して複数のサブ情報が記録されていることがある。この場合には、ユーザは不要と判断したサブ情報を削除することができる。関連付け制御部１４は、ステップＳ５４において、削除するサブ情報の選択を受け付ける。削除するサブ情報が指定されると、関連付け制御部１４は、この削除操作に応じたサブ情報を関連情報格納部１５から削除する。
【００５３】
このように本実施の形態においては、メイン画像中の関連位置や関連対象物を指定して、サブ情報を割当てて記録することができる。サブ情報としては、撮影によって得た撮像画像や撮像画像から取得した情報を記録することができ、メイン画像中にユーザが希望する情報をユーザが希望する形態で付加して記録することができる。
【００５４】
（第２の実施の形態）
図８は本発明の第２の実施の形態を示すブロック図である。また、図９は第２の実施の形態に係る撮影機器の外観を示す説明図である。
【００５５】
本実施の形態はレンズ型カメラが装着されたタブレットＰＣ（パーソナルコンピュータ）に適用したものである。タブレットＰＣに代えてスマートフォンや携帯電話を採用してもよい。タブレットＰＣ６１の表示部６８には、後述するように、レンズ型カメラ５１による撮像画像が表示される。
【００５６】
図８において、タブレットＰＣ６１にはカメラ用通信部６２が設けられ、レンズ型カメラ５１には通信部５５が設けられており、タブレットＰＣ６１とレンズ型カメラ５１とは、これらの通信部６２，５５を介して相互に通信可能に構成されている。
【００５７】
図９に示すように、タブレットＰＣ６１の筐体６１ａには取り付け器具７１が着脱自在に取り付けられるようになっており、取り付け器具７１にはレンズ型カメラ５１を取り付けるための取付部７２が設けられている。レンズ型カメラ５１は基端側に取付部５１ｂが設けられており、この取付部５１ｂを取り付け器具７１の取付部７２に、嵌込み又はねじ込み等によって取り付けるようになっている。
【００５８】
なお、本実施の形態においては、タブレットＰＣ６１は、レンズ型カメラ５１を制御してメイン画像及びサブ画像の撮影及び記録を制御する機能を有しているが、この機能については、一部又は全部の機能をレンズ型カメラ５１側に設けるようにしてもよい。
【００５９】
レンズ型カメラ５１には、光学系５２ａを有する撮像部５２が設けられている。撮像部５２にはＣＣＤやＣＭＯＳセンサ等によって構成された図示しない撮像素子が設けられており、光学系５２ａによって被写体像が撮像素子の撮像面に導かれるようになっている。光学系５２ａは、鏡筒５１ａ内にピント合わせによりフォーカス（合焦）状態に設定するために可動されるフォーカスレンズやフォーカス状態で変倍するズームレンズ等を有する。また、光学系５２ａは、これらのレンズ及び絞りを駆動する図示しない機構部を有する。制御部５３は光学系５２ａの機構部を制御して、これらのフォーカスレンズ、ズームレンズ及び絞りを駆動制御するようになっている。
【００６０】
レンズ型カメラ５１には、ユーザによる撮影に関するパラメータ、例えば、ピント、ズームや絞りに関するパラメータの設定操作のために、操作リング５４ａ等の操作部５４が設けられている。制御部５３は、操作部５４に対するユーザ操作を検出して検出結果に基づく制御を行う。制御部５３は、ＣＰＵ等によって構成されており、操作部５４に対するユーザ操作と後述するタブレットＰＣ６１からの信号とに基づいて、レンズ型カメラ５１の各部を制御する。
【００６１】
撮影制御部５３ｃは、フォーカス信号、ズーム信号及び絞り制御信号を発生して、光学系５２ａのフォーカス、ズーム及び絞りを駆動制御する。また、撮影制御部５３ｃは、撮像素子に駆動信号を供給して、被写体の撮像を制御する。
【００６２】
画像処理部５３ｂは、撮像素子からの撮像画像が与えられ、所定の画像信号処理、例えば、色調整処理、マトリックス変換処理、ノイズ除去処理、その他各種の信号処理を施した後、記録部５６に与えて記録することができる。記録部５６としては例えばＩＣメモリを採用することができる。また、画像処理部５３ｂは、撮像画像を通信部５５を介してタブレットＰＣ６１に転送することができるようになっている。
【００６３】
レンズ情報処理部５３ａは、ズームレンズ、フォーカスレンズ等のレンズ状態、絞り状態等のレンズに関する情報を取得して、通信部５５を介してタブレットＰＣ６１に転送することができるようになっている。レンズに関する情報には、ピント位置、被写界深度の範囲等の光軸方向の距離の情報が含まれる。
【００６４】
通信部５５は、タブレットＰＣ６１に設けられたカメラ用通信部６２との間で所定の伝送路を介して通信が可能である。伝送路としては、有線及び無線による各種伝送路、例えば、ＵＳＢ（Universal Serial Bus）ケーブルやＷｉｆｉ（Wireless Fidelity）等の無線ＬＡＮの伝送路等を採用することができるようになっている。制御部５３は、タブレットＰＣ６１との間で通信が確立すると、タブレットＰＣ６１の制御部６５に従って撮影が制御されると共に、撮像画像及びレンズに関する情報をタブレットＰＣ６１に転送することができるようになっている。
【００６５】
タブレットＰＣ６１の制御部６５は、例えばＣＰＵ等によって構成されてタブレットＰＣ６１の各部を制御する。制御部６５は、レンズ型カメラ５１の撮像部５２を駆動するための信号を出力すると共に、レンズ型カメラ５１からの撮像画像を受信する。制御部６５は、受信した撮像画像に対して、所定の信号処理、例えば、色調整処理、マトリックス変換処理、ノイズ除去処理、その他各種の信号処理を行う。
【００６６】
タブレットＰＣ６１には、操作部６６も配設されている。操作部６６は、タブレットＰＣ６１に設けられた図示しないスイッチ、キー、ソフトウェアキーボード等の各種の操作部によって構成され、ユーザ操作に基づく操作信号を発生して、制御部６５に出力するようになっている。制御部６５は、操作信号に基づいて、各部を制御する。
【００６７】
制御部６５は、撮像画像の記録及び再生に関する処理を行うことができる。例えば、制御部６５は、信号処理後の撮影画像を圧縮処理し、圧縮後の画像を記録部６４に与えて記録させることができる。記録部６４としては、例えばＩＣメモリ等の各種記録媒体を採用することができ、記録部６４は記録媒体に画像情報及び音声情報等を記録可能である。
【００６８】
表示制御部６７は表示に関する各種処理を実行する。表示制御部６７は、制御部６５から信号処理後の撮影画像が与えられて、表示部６８に与えることができる。表示部６８は、ＬＣＤ等の表示画面６８ａ（図１０参照）を有しており、表示制御部６７から与えられた画像を表示する。また、表示制御部６７は、各種メニュー表示等を表示部６８の表示画面６８ａに表示させることもできるようになっている。制御部６５は、記録部６４に記録されている撮像画像を読み出して伸張処理することができる。表示制御部６７は伸張処理された撮像画像を表示部６８に与えることで、記録画像の再生が可能である。
【００６９】
表示部６８の表示画面６８ａ上には、図示しないタッチパネルが設けられている。タッチパネルは、ユーザが指で指し示した表示画面６８ａ上の位置に応じた操作信号を発生することができる。この操作信号は、制御部６５に供給される。これにより、制御部６５は、ユーザが表示画面６８ａ上をタッチしたりスライドさせたりした場合には、ユーザのタッチ位置、指を閉じ離間させる操作（ピンチ操作）、スライド操作やスライド操作によって到達した位置、スライド方向、タッチしている期間等の各種操作を検出することができ、ユーザ操作に対応した処理を実行することができるようになっている。このタッチパネルによって、関連位置や関連対象物の指定か可能である。
【００７０】
なお、表示部６８は、タブレットＰＣ６１の例えば前面の略全域を占めるように配設されており、ユーザは、レンズ型カメラ５１による撮影時に表示部６８の表示画面６８ａ上に表示された撮像画像を確認することができ、撮像画像を確認しながら撮影操作を行うことができる。
【００７１】
更に、本実施の形態においては、タブレットＰＣ６１は、ネット接続部６３を備えている。ネット接続部６３は、制御部６５に制御されて、無線又は有線によって、図示しないインターネット回線に接続可能である。ネット接続部６３は、操作部６６のユーザ操作に応じてサイトにアクセスして、ユーザ操作に応じたデータの送受を行ってユーザが希望するデータのダウンロートが可能である。本実施の形態においては、ダウンロードするデータは、ユーザが直接指定するだけでなく、制御部６５によって自動的に取得することもできる。
【００７２】
制御部６５は、第１の実施の形態における位置及び対象判定部１３並びに関連付け制御部１４の両方と同様の機能を有しており、関連付けモードにおける動作が可能である。例えば、制御部６５は、ユーザのタッチ操作に基づいて関連位置や関連対象物を設定すると共に、設定された関連位置や関連対象物に対応付けて、第１の実施の形態と同様に、レンズ型カメラ５１の撮像画像からサブ情報を取得することができるようになっている。
【００７３】
更に、本実施の形態においては、記録部６４には、ユーザが登録した住所録の情報が記録されていることもあり、制御部６５は、この住所録の情報やその他記録部６４に記録されている情報をサブ情報として利用することができるようになっている。
【００７４】
更に、本実施の形態においては、制御部６５は、ネット接続部６３によって取得したデータをサブ情報として関連位置や関連対象物に関連付けて記録部６４に記録することもできるようになっている。
【００７５】
図１０及び図１１はインターネットからサブ情報をダウンロードする例を説明するための説明図である。
【００７６】
図１０はユーザが撮影によってメイン画像を取得する様子を示している。図１０に示すように、ユーザ８１は、右手８１ａで図８のタブレットＰＣ６１の回路ブロックが収納された筐体６１ａを把持した状態で、レンズ型カメラ５１によって被写体である人物９１を撮影している。人物９１は壁９２を背景として、「演奏会」と表示された看板９３の傍らに立っている。筐体６１ａの背面側には、表示画面６８ａが設けられており、この表示画面６８ａには撮像中の画像であるスルー画８５が表示されている。図１０は、撮影範囲内に人物９１、壁９２及び看板９３を含む撮像画像がスルー画８５として表示されていることを示している。
【００７７】
この状態でユーザ８１が右手８１ａでシャッタボタン６１ｂを押すことで、スルー画８５として表示されている撮像画像が記録される。いま、例えば、ユーザ８１がこの記録した撮像画像をメイン画像とするものとする。
【００７８】
本実施形態においても、メイン画像とサブ画像とを関連付けて記録する関連付けモードでの動作が可能である。関連付けモードにおいては、ユーザ８１は、画像中に関連位置や関連対象物を指定して、サブ画像を撮影することを指定することができる。更に、上述したように、関連付けモードにおいて、画像中に設定された関連位置や関連対象物に対応するサブ情報を、インターネット回線を介して取得することも可能である。
【００７９】
いま、ユーザ８１が、関連付けモード時においてインターネット回線からのサブ情報の取得を行うものとする。例えば、ユーザ８１が、看板９３に対応するスルー画８５中の画像８７を左手８１ｂでタッチする操作を行うものとする。このタッチ操作によって、メイン画像中の看板９３に対応する画像８７の位置が関連位置として設定され、この関連位置に関するサブ情報を取得するサブ情報取得モードに移行する。
【００８０】
図１１は関連付けモードにおけるサブ情報取得の様子を示している。サブ情報取得モードにおいては、関連位置の画像に対する文字認識処理等によって関連位置の文字情報が取得される。更に、サブ情報取得モードにおいては、インターネット回線へ接続が行われて、表示画面６８ａ上に情報取得画面９５が表示される。ユーザ８１は、左手８１ｂでタブレットＰＣ６１を把持し、右手８１ａのタッチ操作によって情報取得画面９５上に表示された検索ボタン９６をタッチする。これにより、関連位置から取得された文字情報をキーとした検索が行われて、当該文字情報に関連する情報が取得される。
【００８１】
例えば、文字情報として演奏者の名前が取得された場合には、この演奏者に関するプロフィールの情報をサブ情報として取得することができる。また、文字情報として演奏曲名が取得された場合には、この演奏曲名の音声データ等をサブ情報として取得することができる。
【００８２】
図１２は関連付けモード時に記録される画像ファイルを説明するための説明図である。図１２に示すように、画像ファイルは、メイン画像の画像データ４５及び補助データであるタグ情報４６を含む。タグ情報４６には、メイン画像に関する情報及びメイン画像の撮影に関する情報等、例えば、被写体顔情報、撮影場所、撮影時間の情報等が含まれる。タグ情報には、関連付けモードによる撮影であって、このメイン画像に関連するサブ画像が関連付けられて記録されているか又は記録が予定されていることを示す情報であるサブ画像想定情報も含まれる。また、画像ファイルには、関連付けモードにおいて記録されたサブ情報４７も含まれる。サブ情報４７としては、関連位置や関連対象物に対応した各所情報が記録される。例えば、関連位置や関連対象物から取得した文字情報等に基づくＵＲＬ情報や関連ファイル名等の情報が含まれる。
【００８３】
図１３はサブ情報の一例を示す説明図である。図１３は図１０及び図１１に対応したものである。本実施の形態においても、サブ情報はユーザが指定した関連位置や関連対象物毎に登録される。図１３の例は、画面上の対象物である被写体について人物、人物の顔及び文字毎にサブ情報を登録した例を示している。人物に対しては人名が登録されている。また、人物の顔については、別表情の顔の画像が記録されている。また、文字については、音声情報、ＵＲＬ情報及びファイル名等が記録されている。ファイル名は、記録部６４中に記録された音声ファイルを指定するためのものである。この音声ファイルは、予め記録部６４に記録されていたものであってもよく、また、上述したサブ情報取得モードにおいて取得されたものであってもよい。
【００８４】
ユーザはメイン画像の再生時に、関連位置をタッチすることで、サブ情報を提示させることが可能である。図１４はこの様子を説明するための説明図である。図１４に示すように、例えば、記録部６４に図１３に示すサブ情報が記録されている場合には、ユーザ８１が表示画面６８ａに表示された再生画像９７中の看板の画像９８の位置をタッチすることで、看板の画像９７の位置を関連位置とするサブ情報である音声データを再生することが可能である。図１４はこの音声データに基づく音響出力９９が出力されていることを示している。
【００８５】
次に、このように構成された実施の形態の動作について図１５を参照して説明する。図１５は第２の実施の形態の動作を説明するためのフローチャートである。図１５において図６と同一の手順について同一符号を付して説明を省略する。
【００８６】
図１５のステップＳ２３，Ｓ７１〜Ｓ７７は、メイン−サブ関連付けモードの動作を示し、ステップＳ１２〜Ｓ２０，Ｓ８１〜Ｓ８７は、サブ−メイン関連付けモードの動作を示している。
【００８７】
いま、ユーザがメイン−サブ関連付けモードを指定するものとする。即ち、既にメイン画像が撮影記録されており、記録されているメイン画像に対してサブ情報を関連付けるように、ユーザがサブ情報の取得を指定するものとする。この場合には、制御部６５は、処理をステップＳ１１からステップＳ２１に移行して、既に記録されているメイン画像を記録部１６から読出して、表示及び操作部１７に与えて所定時間サムネイル表示させる。制御部６５は、次のステップＳ２２において、メイン画像が選択操作されたか否かを判定する。
【００８８】
制御部６５は、所定時間経過してもメイン画像が選択されない場合には、サブ−メイン関連付けモードにおけるサブ情報の取得、即ち、ユーザがメイン画像に関連付けることなくサブ情報の取得を行おうとしているものと判定して、処理をステップＳ２２からステップＳ８１に移行する。
【００８９】
いま、ユーザは、既に記録されているメイン画像に対してサブ情報を関連付けようとしているので、ユーザはメイン画像の選択操作を行う。制御部６５は、ステップＳ２３においてタッチ位置の指定操作を受け付ける。例えば、ユーザは図１０の画像８７の表示位置をタッチする。これにより、制御部６５は、看板の画像８７を関連対象物に設定する。次に、制御部６５は、サブ情報取得モードが指定されているか否かを判定する（ステップＳ７１）。制御部６５は、サブ情報取得モードが指定されている場合には、ステップＳ７２において図１１に示す情報取得画面９５を表示する。
【００９０】
ユーザは、情報取得画面９５上の検索ボタン９６を操作することで、検索を行う。検索キーは、ユーザが自分で入力してもよく、制御部６５が関連対象物の画像から取得した文字列を用いて設定してもよい。制御部６５は、ステップＳ７３において検索入力が発生したか否かを判定し、検索入力があると当該検索入力に対応するコンテンツやＵＲＬの取得を行う（ステップＳ７４）。即ち、制御部６５は、ネット接続部６３を制御してインターネット回線に接続し、該当するサイトから情報をダウンロードする。制御部６５は、選択したメイン画像の画像ファイルに、取得したサブ情報を関連位置や関連対象物の情報と共に記録する（ステップＳ７７）。
【００９１】
また、制御部６５は、ステップＳ７３において、ネット入力が発生しない場合には、サブ情報としてサブ画像を取得するものとして、レンズ型カメラ５１からの撮像画像をスルー画表示させ（ステップＳ７５）、ステップＳ７６において撮影等の処理を行う。このサブ画像撮影では、情報撮影時に文字などを撮影する場合など、文字が読めることが重要で、白黒でもよく、コントラストも不自然なまでに高めて読みやすくしても良い。露出制御や絞り制御なども含めて撮影制御であるが、これをメイン撮影時と異ならせて、文字を読みやすくしたり、ボケを抑える撮影にしても良い。また、白黒化やエッジ強調などは画像処理であり、撮影制御と画像処理のどちらか、または両方を行って補助情報としての表現はメイン画像と変えておくようにした方が良い。記録時のみならず、Ｓ７５のスルー画時にも、こうした制御をメイン画像と変えてもよい。こうして、この場合には、制御部６５は、選択したメイン画像の画像ファイルに、取得したサブ画像を関連位置や関連対象物の情報と共に記録する（ステップＳ７７）。
【００９２】
サブ−メイン関連付けモードにおけるサブ情報の取得処理は、ステップＳ８１〜Ｓ８７において行われる。ステップＳ８１〜Ｓ８６の処理は、ステップＳ７１〜Ｓ７６と同様である。制御部６５は、ステップＳ８７において、取得されたサブ情報を記録部６４に記録する。
【００９３】
他の作用は第１の実施の形態と同様である。この実施例では、サブ情報を取得する際、画像情報に限らないので、音楽を記録した方が良いとか、地名を記録した方が良いとか、画像判定にしたがった情報取得をアドバイス表示しても良い。画像で文字認識した結果、「コンサート」とか「演奏会」とあれば、音楽記録を促してもよい。これは実際に録音してもよく、ダウンロードしても良い。風景部に独特の山や川、海の形状や色、または波の動きなどが検出された場合は、サブ情報を地名としても良い。地名の場合は、ＧＰＳと連携した地図情報を取得すればよい。花や動物などは、図鑑と連携するようにアドバイスしても良い。これらの場合は、表示部にテキスト表示したり、音声で伝えてアドバイスを行う。
【００９４】
このように本実施の形態においては第１の実施の形態と同様の効果が得られると共に、撮影する画像や既に記録されている情報をサブ情報とするだけでなく、インターネット回線から取得した情報をサブ情報とすることができ、より有効な情報の記録が可能である。
【００９５】
さらに、本発明の各実施形態においては、撮影のための機器として、デジタルカメラを用いて説明したが、カメラとしては、レンズ型カメラでも、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよく、監視カメラや車載用カメラ、据え置き型のカメラ、例えば、テレビジョン受信機やパーソナルコンピュータ等に取り付けられているカメラであってもよい。
【００９６】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００９７】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００９８】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストールしたり、あるいは記録媒体からコンピュータにインストールすることで、容易に本実施の形態の撮影機器を実現することができる。
【符号の説明】
【００９９】
１１…撮像部、１２…記録再生制御部、１３…位置及び対象判定部、１４…関連付け制御部、１５…関連情報格納部、１６…記録部、１７…表示及び操作部、２０…関連付け部。
【図１】
2015159511.tif 000003
【図４】
2015159511.tif 000004
【図５】
2015159511.tif 000005
【図６】
2015159511.tif 000006
【図７】
2015159511.tif 000007
【図８】
2015159511.tif 000008
【図１３】
2015159511.tif 000009
【図１５】
2015159511.tif 000010
【図２】
2015159511.tif 000011
【図３】
2015159511.tif 000012
【図９】
2015159511.tif 000013
【図１０】
2015159511.tif 000014
【図１１】
2015159511.tif 000015
【図１２】
2015159511.tif 000016
【図１４】
2015159511.tif 000017